(57)【要約】  スプリングの弾性を利用し、ニードルホルダを瞬時にスライディングさせることにより、ニードルホルダに装着されたニードルが患者に瞬間的に刺し込まれる薬液注入装置を提供する。【選択図】図１
2019509867.tif 000002
【特許請求の範囲】
【請求項１】
ケーシングと、
前記ケーシング外部に露出されたボタンと、
前記ケーシング内に位置し、ニードルと結合されたニードルホルダと、
前記ケーシング内に位置し、前記ボタンと前記ニードルホルダとの間に介在されたスプリングと、
前記ケーシング内に位置し、前記ニードルホルダを支持するガイディング部材と、を含む薬液注入装置。
【請求項２】
前記ニードルホルダは、前記ボタンの動作によって回転自在に具備され、
前記ニードルホルダは、
第１状態において、前記ガイディング部材に支持される第１サポートと、
前記第１サポートに隣接し、前記第１状態から、前記ニードルホルダが回転された状態である第２状態において、前記ガイディング部材が通過するように具備されたガイディング溝と、を含む、請求項１に記載の薬液注入装置。
【請求項３】
前記第１サポートは、
前記ニードルの刺し込み方向に向かう面に形成され、前記ガイディング溝と連結されるサポート溝と、
前記サポート溝と前記ガイディング溝との間に位置し、前記ニードルホルダの回転に抵抗力を提供するサポートストッパと、を含む、請求項２に記載の薬液注入装置。
【請求項４】
前記ガイディング部材は、前記第１状態において、前記第１サポートを支持するように具備された第２サポートを含む、請求項２に記載の薬液注入装置。
【請求項５】
前記第２サポートは、前記ニードルホルダの回転方向に対して下流に位置した第２−１サポート部、及び前記ニードルホルダの回転方向に対して上流に位置した第２−２サポート部を含み、前記第２−１サポート部が、前記第２−２サポート部より前記ボタンに隣接するように位置する、請求項４に記載の薬液注入装置。
【請求項６】
前記ボタンは、前記ニードルホルダに向かう方向にスライディング自在に具備され、
前記ガイディング部材に隣接するように位置し、前記ボタンのスライディングをコントロールするように具備されたストッパをさらに含む、請求項１に記載の薬液注入装置。
【請求項７】
ベースを含むケーシングと、
前記ケーシング外部に露出されたボタンと、
前記ケーシング内に位置したニードルホルダと、
前記ケーシング内に位置し、前記ボタンと前記ニードルホルダとの間に介在されたスプリングと、を含み、
前記ボタンは、前記ニードルホルダの方向に突出した第１結合部を含み、
前記ニードルホルダは、前記第１結合部に結合自在に具備された第２結合部を含み、
第１状態において、前記ニードルホルダは、前記ケーシングのベースから離隔されるように位置するように具備され、
前記第１状態から、前記ニードルホルダが回転された状態である第２状態に変形されると共に、前記スプリングの弾性により、前記ニードルホルダが前記ベースに向けて駆動するように具備された薬液注入装置。
【請求項８】
前記第１状態において、前記ニードルホルダを前記ベースから離隔されるように支持し、前記第２状態において、前記ニードルホルダをガイディングするように具備されたガイディング部材をさらに含む、請求項７に記載の薬液注入装置。
【請求項９】
前記ニードルホルダは、
第１状態において、前記ガイディング部材に支持される第１サポートと、
前記第１状態から、前記ニードルホルダが回転された状態である第２状態において、前記第１サポートに隣接し、前記ガイディング部材が通過するように具備されたガイディング溝と、を含む、請求項８に記載の薬液注入装置。
【請求項１０】
前記ガイディング部材は、前記第１状態において、前記第１サポートを支持するように具備された第２サポートを含む、請求項９に記載の薬液注入装置。
【発明の詳細な説明】
【技術分野】
【０００１】
本発明は、薬液注入装置に関する。
【背景技術】
【０００２】
インシュリン注入装置のような薬液注入装置は、患者の体内に薬液を注入するために使用されるが、それは、医師や看護婦のような専門医療陣によって使用されたりもするが、ほとんどの場合、患者自身または保護者のような一般人によって使用されている。そして、かような薬液注入装置を介して注入される薬液は、患者が長期間服用しなければならない場合が多いために、患者は、薬液注入装置のニードルが何回にもわたって刺し込まれるという苦痛を受けることになる。
【０００３】
かような薬液注入装置は、薬液が吐出されるニードルを有し、このニードルが患者の体に刺し込まれなければならないが、この過程において患者は、ニードル刺し込みによる苦痛を不可避的に受けることになる。それだけではなく、かようなニードル刺し込みに対する苦痛は、患者をして、薬液注入装置に対して恐怖感を抱かせ、結果として、薬液注入装置に対する拒否感を惹き起こす。
【発明の概要】
【発明が解決しようとする課題】
【０００４】
本発明は、前述のような問題及び／または限界を解決するためのものであり、ニードル刺し込みに対する苦痛及び恐怖感を最小化させることができる薬液注入装置を提供するところに目的がある。
【課題を解決するための手段】
【０００５】
前述のような目的を達成するために、一実施形態は、ケーシングと、前記ケーシング外部に露出されたボタンと、前記ケーシング内に位置し、ニードルと結合されたニードルホルダと、前記ケーシング内に位置し、前記ボタンと前記ニードルホルダとの間に介在されたスプリングと、前記ケーシング内に位置し、前記ニードルホルダを支持するガイディング部材と、を含む薬液注入装置を提供することができる。
【０００６】
前記ニードルホルダは、前記ボタンの動作によって回転自在に具備され、前記ニードルホルダは、第１状態において、前記ガイディング部材に支持される第１サポートと、前記第１サポートに隣接し、前記第１状態から、前記ニードルホルダが回転された状態である第２状態において、前記ガイディング部材が通過するように具備されたガイディング溝と、を含んでもよい。
【０００７】
前記第１サポートは、前記ニードルの刺し込み方向に向かう面に形成され、前記ガイディング溝と連結されるサポート溝と、前記サポート溝と前記ガイディング溝との間に位置し、前記ニードルホルダの回転に抵抗力を提供するサポートストッパと、を含んでもよい。
【０００８】
前記ガイディング部材は、前記第１状態において、前記第１サポートを支持するように具備された第２サポートを含んでもよい。
【０００９】
前記第２サポートは、前記ニードルホルダの回転方向に対して下流に位置した第２−１サポート部、及び前記ニードルホルダの回転方向に対して上流に位置した第２−２サポート部を含み、前記第２−１サポート部が前記第２−２サポート部より前記ボタンに隣接するように位置することができる。
【００１０】
前記ボタンは、前記ニードルホルダに向かう方向にスライディング自在に具備され、前記ガイディング部材に隣接するように位置し、前記ボタンのスライディングをコントロールするように具備されたストッパをさらに含んでもよい。
【００１１】
前記ボタンは、前記ニードルホルダの方向に突出した第１結合部を含み、前記ニードルホルダは、前記第１結合部に結合自在に具備された第２結合部を含んでもよい。
【００１２】
他の一実施形態は、ベースを含むケーシングと、前記ケーシング外部に露出されたボタンと、前記ケーシング内に位置したニードルホルダと、前記ケーシング内に位置し、前記ボタンと前記ニードルホルダとの間に介在されたスプリングと、を含み、第１状態において、前記ニードルホルダは、前記ケーシングのベースから離隔されるように位置するように具備され、前記第１状態から、前記ニードルホルダが回転された状態である第２状態に変形されると共に、前記スプリングの弾性により、前記ニードルホルダが前記ベースに向けて駆動するように具備された薬液注入装置を提供することができる。
【００１３】
前記第１状態において、前記ニードルホルダを前記ベースから離隔されるように支持し、前記第２状態において、前記ニードルホルダをガイディングするように具備されたガイディング部材をさらに含んでもよい。
【００１４】
前記ニードルホルダは、第１状態において、前記ガイディング部材に支持される第１サポートと、前記第１状態から、前記ニードルホルダが回転された状態である第２状態において、前記第１サポートに隣接し、前記ガイディング部材が通過するように具備されたガイディング溝と、を含んでもよい。
【００１５】
前記ガイディング部材は、前記第１状態において、前記第１サポートを支持するように具備された第２サポートを含んでもよい。
【発明の効果】
【００１６】
前述のような本発明の実施形態によれば、スプリングの弾性を利用し、ニードルホルダが瞬時にスライディングされるようにすることにより、ニードルホルダに装着されたニードルが患者に瞬間的に刺し込まれる。
ニードルの瞬間的刺し込みにより、患者が受ける苦痛を最小化させることができ、ニードルによる患者の恐怖感を減らすことができる。
従って、長期間薬液を提供されなければならない患者の、薬液注入装置に対する拒否感を減らすことができ、患者に薬液が円滑に投入されることにより、患者の治療及び／または健康に寄与することができる。
【図面の簡単な説明】
【００１７】
【図１】一実施形態による薬液注入装置の斜視図である。
【図２】図１に図示された薬液注入装置の分離斜視図である。
【図３】一実施形態によるボタンの斜視図である。
【図４】図３に図示されたボタンの底面斜視図である。
【図５】一実施形態によるニードルホルダの斜視図である。
【図６】図５に図示されたニードルホルダの側面図である。
【図７】図５に図示されたニードルホルダの底面図である。
【図８】一実施形態による第２ケーシングの斜視図である。
【図９】図８に図示された第２ケーシングの平面図である。
【図１０】図８に図示された第２ケーシングの一部を示す一部斜視図である。
【図１１Ａ】第１状態において、ニードルホルダ及びガイディング部材の状態を図示した図面である。
【図１１Ｂ】第２状態において、ニードルホルダ及びガイディング部材の状態を図示した図面である。
【図１２】一実施形態によるニードルカバー組み立て体の斜視図である。
【発明を実施するための形態】
【００１８】
本発明は、多様な変換を加えることができ、さまざまな実施形態を有することができるが、特定の実施形態を図面に例示し、詳細な説明によって詳細に説明する。本発明の効果、特徴、及びそれらを達成する方法は、図面と共に詳細に説明する実施形態を参照すれば、明確になるであろう。しかし、本発明は、以下で開示される実施形態に限定されるものではなく、多様な形態に具現されるのである。
【００１９】
以下、添付された図面を参照し、本発明の実施形態について詳細に説明するが、図面を参照して説明するとき、同一であったり対応したりする構成要素は、同一の図面符号を付し、それらに係わる重複説明は、省略する。
以下の実施形態において、単数の表現は、文脈上明白に異なって意味しない限り、複数の表現を含む。
以下の実施形態において、「含む」あるいは「有する」というような用語は、明細書上に記載された特徴または構成要素が存在するということを意味するものであり、１以上の他の特徴または構成要素が付加される可能性をあらかじめ排除するものではない。
以下の実施形態において、膜、領域、構成要素などの部分が、他の部分の上または上部にあるとするとき、他の部分の真上にある場合だけではなく、その中間に、他の膜、領域、構成要素などが介在されている場合も含む。
ある実施形態が異なって具現可能な場合、特定の工程順序は、説明される順序と異なるように遂行されもする。例えば、連続して説明される２つの工程が、実質的に同時に遂行されもし、説明される順序と反対の順序に進められもする。
図面においては、説明の便宜のために、構成要素がその大きさが誇張されていたり縮小されていたりする。例えば、図面に示された各構成の大きさ及び厚みは、説明の便宜のために任意に示されており、以下の実施形態は、必ずしも図示されたところに限定されるものではない。
【００２０】
図１は、一実施形態による薬液注入装置の斜視図である。
一実施形態による薬液注入装置１００は、一面にボタン１２０が露出されるように具備され、他面には、ニードルカバー組み立て体１９０が具備されている。
【００２１】
前記ボタン１２０は、ユーザが加圧させ、かつ／または回転させることができるように具備され、ユーザに露出されている。前記ニードルカバー組み立て体１９０は、ニードルを保護するように具備されたものであり、ユーザが薬液注入装置１００を使用する時に分離させることができる。
【００２２】
前述のような薬液注入装置は、図２から分かるように、さらに具体的に構成されもする。
一実施形態による薬液注入装置は、ケーシングを含んでもよいが、前記ケーシングは、互いに結合される第１ケーシング１１０と第２ケーシング１５０とを含んでもよい。
【００２３】
前記第１ケーシング１１０は、ユーザが薬液注入装置を身に装着した後にも、ユーザに露出される部分になり、一部に、開口１１１が形成されている。前記開口１１１を介してボタン１２０が通過し、ボタン１２０は、ユーザに露出される。
【００２４】
互いに結合される第１ケーシング１１０と第２ケーシング１５０との間、すなわち、ケーシングの内部には、ボタン１２０、スプリング１３０、ニードルホルダ１４０、ポンプ１６０及び薬液保存部１７０が位置することができる。
【００２５】
薬液保存部１７０は、図面に図示されていないが、薬液を保存する保存槽と、薬液の吐出を可能にするピストンと、を含んでもよいが、必ずしもそれに限定されるものではなく、単に保存槽のみを含んでもよい。該薬液は、例えば、インシュリンのような薬物を含む液体でもある。
【００２６】
前記薬液保存部１７０は、ポンプ１６０に、チューブのような液連結部材を介しても連結される。前記ポンプ１６０は、薬液をニードルホルダ１４０の方向にポンピングするように構成されたものであり、ポンピング周期によって、一定量の薬液をポンピングすることができる。かようなポンプ１６０は、図示されていない別途の電源及びコントローラに電気的に連結されてもよいが、それにより、薬液保存部１７０から薬液を吸入し、ニードルホルダ１４０に吐出する。
【００２７】
前記ポンプ１６０は、電気により、薬液吸入力と薬液吐出力とを有する全種のポンプが使用される。例えば、機械変位型マイクロポンプや電磁気運動型マイクロポンプのような全種のポンプが使用される。前記機械変位型マイクロポンプは、流体の流れを誘導するために、圧力差を起こすように、ギアやダイヤグラムのような固体あるいは流体の運動を利用するポンプであり、ダイヤフラム変位ポンプ（diaphragm displacement pump）、流体変位ポンプ（fluid displacement pump）、回転ポンプ（rotary pump）などがある。前記電磁気運動型マイクロポンプは、電気的形態または磁気的形態のエネルギーを直に流体移動に利用するポンプであり、電気流体力学ポンプ（ＥＨＤ：electro hydrodynamic pump）、電気浸透式ポンプ（electro osmotic pump）、磁気流体力学ポンプ（magneto hydrodynamic pump）、電気湿式ポンプ（electro wetting pump）などがある。
【００２８】
前記ポンプ１６０は、チューブＴＵ及びコネクタＣＮを経て、ニードルホルダ１４０に連結される。ポンプ１６０に連結されたチューブＴＵは、コネクタＣＮに連結され、それは、ニードルホルダ１４０に支持された状態で、ニードルＮＤに連結される。従って、ポンプ１６０から吐出された薬液は、チューブＴＵ及びコネクタＣＮを経て、ニードルＮＤを介して吐出される。そのために、前記ニードルホルダ１４０は、ニードルＮＤと結合されている。
【００２９】
前記ニードルホルダ１４０は、ボタン１２０と対向するように配置され、ニードルホルダ１４０とボタン１２０との間には、スプリング１３０が介在される。ボタン１２０、スプリング１３０及びニードルホルダ１４０は、軸ＡＸに沿って整列される。前記軸ＡＸは、図面のＺ軸と平行である。
【００３０】
図２に図示された実施形態において、薬液保存部１７０及びポンプ１６０は、概略的な状態を知ることができるように示されたものであり、必ずしも図面に図示された形状及び／または配置に限定されるものではないということは言うまでもない。
【００３１】
図３及び図４は、それぞれ一実施形態によるボタン１２０の斜視図及び底面斜視図である。
前記ボタン１２０は、概して円筒状にも形成され、軸ＡＸを中心に、回転方向Ｒ１に沿って回転自在に具備される。ボタン１２０のＺ軸方向の表面１２１に、ユーザが、前記ボタン１２０を回転しやすいように、回転溝１２２が形成されている。ユーザは、この回転溝１２２に、爪または小銭を挿入し、容易にボタン１２０を回転させることができる。
【００３２】
前記ボタン１２０は、円筒状側面１２３を具備することができるが、この側面１２３上端近辺には、リング部材ＯＲが嵌め込まれている。このリング部材ＯＲは、Ｏリングが使用されもするが、ボタン１２０と、第１ケーシング１１０の開口１１１との間から、薬液が漏れ出す心配を防ぐことができる。または、前記リング部材ＯＲは、ボタン１２０が、ユーザによって加圧されるとき、この加圧に、所定の抵抗力を提供することができ、かつ／またはボタン１２０が押された後、容易に飛び出さないように機能することができる。
【００３３】
前記側面１２３には、図３及び図４から分かるように、締結開口１２７が形成される。前記締結開口１２７は、側面１２３の互いに対称となる部分に、少なくとも１対具備される。前記締結開口１２７は、側面１２３のＺ軸方向のほぼ中央部に位置することができるが、それにより、締結開口１２７のエッジには、締結台１２３ａが形成される。前記締結開口１２７は、後述するストッパに締結され、このとき、締結台１２３ａがストッパにかかることにより、ボタン１２０の離脱を防止することができる。かような締結開口１２７は、ボタン１２０がストッパに締結された状態で、回転方向Ｒ１に沿って回転自在に、前記側面１２３の外周面に沿って、Ｘ−Ｙ平面方向に延長されるように形成される。
【００３４】
前記側面１２３の締結開口１２７に隣接した部分には、第１溝１２８ａが形成されている。前記第１溝１２８ａは、締結開口１２７がストッパに締結されるとき、所定の弾性を付与させ、各締結開口１２７の両側に位置することができる。
【００３５】
前記側面１２３には、第２溝１２８ｂがさらに形成されるが、前記ボタン１２０がニードルホルダ１４０と結合したとき、コネクタＣＮが、第２溝１２８ｂを介して、側面１２３を貫通することができる。
【００３６】
前記ボタン１２０の内側、例えば、ニードルホルダ１４０に対向した面には、図４から分かるように、第１結合部１２５が具備される。前記第１結合部１２５は、後述するニードルホルダ１４０の第２結合部と結合自在に具備されたものであり、ニードルホルダ１４０の方向に突出し、互いに対向するように離隔された第１−１結合突起１２５ａと第１−２結合突起１２５ｂとを有し、前記第１−１結合突起１２５ａと第１−２結合突起１２５ｂとの間に、間隙１２５ｃが具備される。前述のような第１結合部１２５は、後述する第２結合部と、必ずしも固定して締結される必要はなく、ユーザがボタン１２０を加圧することにより、第２結合部と噛み合い、ユーザがボタン１２０を回転させるとき、ボタン１２０の回転力をニードルホルダ１４０に伝達することができるものであるならば、いかなる形態でもよい。
【００３７】
図５ないし図７は、それぞれ一実施形態によるニードルホルダ１４０の斜視図、側面図及び底面図である。
一実施形態によるニードルホルダ１４０は、回転方向Ｒ１に沿って回転しやすいように、概して円板状の本体１４１を有する。前述のように、ポンプ１６０と連結されたコネクタＣＮは、前記本体１４１にも結合される。
【００３８】
そして、本体１４１には、ボタン１２０と反対側方向に向けてニードルＮＤが結合されているが、このニードルＮＤは、コネクタＣＮと連結され、結局、チューブＴＵと連通される。前記ニードルＮＤは、図７から分かるように、本体１４１の底面１４９の真中央に位置することができる。
【００３９】
本体１４１のコネクタＣＮと結合された部分の反対側には支持台１４５が、Ｚ軸方向に立設される。前記支持台１４５は、本体１４１の端に沿って、円周方向に形成されるが、チューブＴＵの張力により、ニードルホルダ１４０が一側に傾くことを防止し、ニードルホルダ１４０がニードルＮＤの刺し込み方向Ｋに沿って、直線運動することができるようにガイディングする役割を行うことができる。
【００４０】
前記本体１４１のボタン１２０に対向する面には、第２結合部１４２が具備される。
前記第２結合部１４２は、前述の第１結合部１２５と結合自在に具備されたものであり、ボタン１２０の方向に突出し、互いに離隔された第２−１結合突起１４２ａ及び第２−２結合突起１４２ｂを有することができる。前記第２−１結合突起１４２ａ及び第２−２結合突起１４２ｂは、ユーザがボタン１２０を加圧することにより、第１結合部１２５と噛み合い、ユーザがボタン１２０を回転させるとき、ボタン１２０の回転力がニードルホルダ１４０に伝達されるものであるならば、いかなる形態でもよい。例えば、前記第１結合部１２５と第２結合部１４２とが互いに結合するとき、前記第２−１結合突起１４２ａ及び第２−２結合突起１４２ｂの間に、前記第１−１結合突起１２５ａと第１−２結合突起１２５ｂとの間隙１２５ｃが挿入される。それにより、第１結合部１２５と第２結合部１４２とが互いに噛み合う。
【００４１】
一方、図２に図示されたスプリング１３０は、一端に、第１結合部１２５が挿入され、他端に、第２結合部１４２が挿入され、ボタン１２０とニードルホルダ１４０との間で固定される。前記スプリング１３０は、ある程度圧縮された状態で、ボタン１２０とニードルホルダ１４０との間に結合されるが、必ずしもそれに限定されるものではなく、ユーザがボタン１２０を押していない状態で、ボタン１２０とニードルホルダ１４０との間に、圧縮状態ではない正常状態でも介在される。
【００４２】
前記ニードルホルダ１４０は、第１サポート１４６及びガイディング溝１４４を含んでもよい。
前記第１サポート１４６は、ニードルホルダ１４０が回転する前の第１状態において、後述するガイディング部材１５５（図８）に支持され、第２ケーシング１５０のベース１５１から一定程度離隔されるように位置する。すなわち、前記第１状態において、前記ニードルホルダ１４０は、ベース１５１からＺ軸方向に、ある程度浮いている状態にもなる。
【００４３】
前記ガイディング溝１４４は、前記第１サポート１４６に隣接するように位置することができるが、図５ないし図７から分かるように、前記ガイディング溝１４４は、前記第１サポート１４６から前記回転方向Ｒ１に、反対方向に隣接するように位置することができる。前記ガイディング溝１４４は、前記本体１４１に、所定幅切開された形態にも形成されるが、本体１４１をニードルＮＤ刺し込み方向Ｋ、例えば、図面のＺ軸方向に貫通するようにも具備される。前記ガイディング溝１４４は、ニードルホルダ１４０が回転された状態である第２状態において、後述するガイディング部材１５５が通過するように具備される。すなわち、第２状態において、前記ガイディング溝１４４に、ガイディング部材１５５が嵌め込まれ、このとき、スプリング１３０により、ニードルホルダ１４０は、ニードルＮＤ刺し込み方向Ｋに沿ってスライディングされる。
【００４４】
前述のような第１サポート１４６は、本体１４１の前記刺し込み方向Ｋに向かう面に、Ｚ軸方向に、所定深みの溝形状に形成されたサポート溝１４６ａを含んでもよい。このサポート溝１４６ａは、前記ガイディング溝１４４と連結されるように具備されるが、サポート溝１４６ａとガイディング溝１４４との間には、サポートストッパ１４６ｂが位置することができる。前記サポートストッパ１４６ｂは、サポート溝１４６ａが形成される方向と反対方向に突出した突起形状にも具備される。前記サポート溝１４６ａには、第１状態において、後述するガイディング部材が支持され、前記サポートストッパ１４６ｂは、前記ニードルホルダ１４０が、第１状態から第２状態に変換されるとき、すなわち、ニードルホルダ１４０が回転方向Ｒ１に沿って回転するとき、この回転に所定程度の抵抗力を提供することができる。従って、ユーザが、この抵抗力以上の力でボタンを回転させれば、ニードルホルダ１４０は、回転方向Ｒ１に沿って回転する。
【００４５】
図８及び図９は、それぞれ一実施形態による第２ケーシング１５０の斜視図及び平面図であり、図１０は、第２ケーシング１５０の一部を示す一部斜視図である。
第１ケーシング１１０と結合される第２ケーシング１５０は、ベース１５１を含んでもよい。前記ベース１５１は、第２ケーシング１５０の一部でもあるが、第２ケーシング１５０とは別個に形成され、第２ケーシング１５０の底にも結合される。
【００４６】
ベース１５１のほぼ中央部には、ニードルが通過することができるように形成されたニードル貫通孔１５３が形成される。
ニードル貫通孔１５３の周囲には、概して円筒形状のガイドウォール１５２が形成される。前記ガイドウォール１５２は、ベース１５１から第１ケーシングに向けて、Ｚ軸方向に突出するようにも具備される。
【００４７】
図９から分かるように、前記ガイドウォール１５２の平面外径は、ボタン１２０の側面１２３内径より小さく、それにより、ボタン１２０が押されたとき、ボタン１２０の側面１２３がガイドウォール１５２外側に位置し、結局、ボタン１２０がガイドウォール１５２に沿って、ニードルホルダ１４０に向かう方向、すなわち、ニードル刺し込み方向Ｋに沿って直線状のスライディング運動が可能である。
【００４８】
前記ガイドウォール１５２の一部には、図８及び図１０から分かるように、ベース１５１からその反対側端部に至るまで切開された切開溝１５２ｈが形成される。前記切開溝１５２ｈを介して、ニードルホルダ１４０のコネクタＣＮが通過する。
【００４９】
ガイドウォール１５２の内側面には、ガイディング部材１５５が具備される。前記ガイディング部材１５５は、ニードル刺し込み方向Ｋ、例えば、図８のＺ軸方向に沿って延長されるように形成されるが、レール状にも形成される。かようなガイディング部材１５５は、前述の第２状態において、ガイディング溝１４４に挿入され、ニードルホルダ１４０は、ガイディング部材１５５に沿って、刺し込み方向Ｋにスライディングされる。
【００５０】
ガイディング部材１５５の一端、すなわち、ガイディング部材１５５の第１ケーシング１１０に向かう端部には、前述の第１状態において、第１サポートを支持するように具備された第２サポート１５４が形成される。前記第２サポート１５４は、図１０から分かるように、第２−１サポート部１５４ａ及び第２−２サポート部１５４ｂを含んでもよい。前記第２−１サポート部１５４ａ及び第２−２サポート部１５４ｂは、互いに連結されるが、前記第２−１サポート部１５４ａは、ニードルホルダの回転方向に対して下流に位置し、前記第２−２サポート部１５４ｂは、ニードルホルダの回転方向に対して上流に位置する。このとき、前記第２−１サポート部１５４ａが、前記第２−２サポート部１５４ｂより、前記ボタンに隣接するように位置することにより、ニードルホルダ１４０が回転方向Ｒ１に沿って回転するとき、この回転に所定程度の抵抗力を提供することができる。従って、ユーザが、この抵抗力以上の力でボタンを回転させれば、ニードルホルダ１４０が回転方向Ｒ１に沿って回転する。
【００５１】
ガイドウォール１５２の外側面には、ストッパ１５７が形成される。前記ストッパ１５７は、ガイドウォール１５２の外側面からＸ軸方向に突出した突起にもなるが、図１０から分かるように、ガイドウォール１５２の外周面に沿って、Ｘ−Ｙ平面方向に延長される。
【００５２】
前記ストッパ１５７は、前記ボタン１２０のＺ軸方向のスライディングをコントロールするように具備されたものであり、Ｚ軸方向に沿って平行に離隔された第１ストッパ１５７ａ及び第２ストッパ１５７ｂを含んでもよい。前記第１ストッパ１５７ａ及び第２ストッパ１５７ｂは、図３及び図４から分かるように、ボタン１２０の締結開口１２７に挿入され、締結台１２３ａが、第１ストッパ１５７ａ及び第２ストッパ１５７ｂにかかり、ボタン１２０が刺し込み方向Ｋの反対方向に離脱することを防止することができる。第１ストッパ１５７ａは、ボタン１２０が加圧される前の状態において、締結開口１２７に締結され、第２ストッパ１５７ｂは、ボタン１２０が加圧された状態において、締結開口１２７に締結される。
【００５３】
前述のように構成された一実施形態による薬液注入装置１００は、ユーザが、この薬液注入装置１００を使用する部位に、第２ケーシング１５０の外面を位置させた状態で、ユーザがボタン１２０を加圧することにより、ボタン１２０とニードルホルダ１４０とが互いに結合し、ユーザがボタン１２０を回転させることにより、スプリング１３０の弾性により、ニードルホルダ１４０がニードルＮＤ刺し込み方向Ｋにスライディングされ、ニードルＮＤの瞬間的刺し込みが可能になる。このとき、前記ボタン１２０の加圧により、スプリング１３０は、十分に圧縮された状態になり、スプリング１３０の弾性を利用したニードルＮＤの瞬間的刺し込み効果が高くなる。かようなニードルＮＤの瞬間的刺し込みにより、患者の苦痛と恐怖感は、最小化される。
【００５４】
一実施形態によれば、例えば、図１１Ａから分かるように、ニードルホルダ１４０が回転していない第１状態において、ニードルホルダ１４０は、第２ケーシング１５０のベース１５１から離隔された状態になる。この状態においては、このニードルは、患者の体に刺し込まれる前になる。この第１状態において、ニードルホルダ１４０の第１サポート１４６は、ガイディング部材１５５の第２サポート１５４と当接して互いに支持している状態にもなる。このとき、一実施形態によれば、第１サポート１４６と第２サポート１５４は、互いに噛み合う構造を有し、それにより、サポート溝１４６ａと第２−１サポート部１５４ａとが互いに接し、サポートストッパ１４６ｂと第２−２サポート部１５４ｂとが互いに接するように具備されている。従って、第１状態において、ニードルホルダ１４０は、さらに安定してガイディング部材１５５の端部に支持された状態が維持される。
【００５５】
ユーザがボタン１２０を回転させることにより、ニードルホルダ１４０が、回転方向Ｒ１に沿って回転すれば、サポートストッパ１４６ｂと第２−１サポート部１５４ａとが、互いに互い違いになる方向に相対運動を行うことにより、前記回転に対する抵抗力をニードルホルダ１４０に与えることができる。もしユーザがこの抵抗力を超える力でボタン１２０を回すことにより、ニードルホルダ１４０に前記抵抗力を超える回転力が加えられれば、サポートストッパ１４６ｂが、第２−１サポート部１５４ａを越えて通過し、ガイディング溝１４４にガイディング部材１５５が進入する。
【００５６】
前記ガイディング溝１４４とガイディング部材１５５は、それぞれＸ軸方向に、第１幅Ｗ１及び第２幅Ｗ２を有する。ガイディング溝１４４に、ガイディング部材１５５が円滑に嵌め込まれるように、前記第１幅Ｗ１は、第２幅Ｗ２より大きい。
【００５７】
かように、ユーザがボタン１２０を回転させることにより、ニードルホルダ１４０が完全に回転された状態である第２状態になれば、図１１Ｂから分かるように、ニードルホルダ１４０は、ガイディング溝１４４にガイディング部材１５５が嵌め込まれた状態で、ガイディング部材１５５に沿ってスライディングされ、第２ケーシング１５０のベース１５１に向けてニードルホルダ１４０が駆動し、それにより、ニードルＮＤは、患者の体に刺し込まれる。
【００５８】
本発明は、このように、スプリングの圧縮された力を瞬間的に発散することにより、ニードルホルダをベースに向けて駆動させ、それにより、ニードルホルダに結合されたニードルが、患者の体に瞬間的に刺し込まれる。
【００５９】
前記実施形態による薬液注入装置は、ニードルホルダの回転に抵抗力を与え、ユーザに、この抵抗力を超える回転力をボタンに加えるように誘導するために、前記ニードルホルダの第１サポート１４６と、ガイディング部材１５５の第２サポート１５４とを具備したが、本発明は、必ずしもそれに限定されるものではない。すなわち、必ずしもニードルホルダの回転に抵抗力を提供する必要はなく、ユーザによるニードルホルダの回転により、スプリングの弾性力を利用し、ニードルホルダが迅速にスライディング駆動し、それにより、ニードルが患者の体に瞬間的に刺し込まれれば、本発明の権利範囲に含まれると言える。
【００６０】
他の一実施形態による薬液注入装置は、ユーザの使用前、ニードルを保護するようにニードルカバー組み立て体をさらに含んでもよい。
【００６１】
図１２は、一実施形態によるニードルカバー組み立て体１９０の斜視図である。
ニードルカバー組み立て体１９０は、カバープレート１９１を含んでもよいが、前記カバープレート１９１は、平板プレートによっても具備され、一端が取っ手１９１ａになり、ユーザがこの取っ手１９１ａを利用し、ニードルカバー組み立て体１９０をケーシングから分離させることができる。
【００６２】
ニードルカバー組み立て体１９０は、ニードルカバー１９２を含んでもよいが、ニードルカバー１９２は、第２ケーシング１５０のベース１５１に具備されたニードル貫通孔１５３に差し込まれる。図面に図示されていないが、前記ニードルカバー１９２は、密閉空間を含み、この密閉空間に、ニードルの先端が一定部分挿入されている。前記密閉空間は、空気は通過するが、液体は通過しない材質から形成された部分、または体積変化が可能な部分を含んでもよいが、それにより、ユーザの使用前、ニードル内部及び／またはチューブ内部の空気を抜き取るプライミング（priming）作業時、薬液が外部に吐出されないようにする。
【００６３】
本発明は、添付された図面に図示された一実施形態を参照して説明されたが、それらは、例示的なものに過ぎず、当該技術分野において、当業者であるならば、それらから多様な変形、及び均等な他の実施形態が可能であるという点を理解することができるであろう。従って、本発明の真の保護範囲は、特許請求の範囲によってのみ決められるものである。
【産業上の利用可能性】
【００６４】
本発明の実施形態は、インシュリン注入装置のように、患者の体内に薬液を注入するために使用される多様な薬液注入装置に適用される。
【図１】
2019509867.tif 000003
【図２】
2019509867.tif 000004
【図３】
2019509867.tif 000005
【図４】
2019509867.tif 000006
【図５】
2019509867.tif 000007
【図６】
2019509867.tif 000008
【図７】
2019509867.tif 000009
【図８】
2019509867.tif 000010
【図９】
2019509867.tif 000011
【図１０】
2019509867.tif 000012
【図１１ａ】
2019509867.tif 000013
【図１１ｂ】
2019509867.tif 000014
【図１２】
2019509867.tif 000015
【国際調査報告】
2019509867.tif 000016
2019509867.tif 000017
2019509867.tif 000018
2019509867.tif 000019
2019509867.tif 000020
2019509867.tif 000021